(57)【要約】【課題】スイッチと充電ケーブルとを互いに固定するための充電ケーブル用固定具を提供する。【解決手段】充電ケーブル用固定具は、差し込み口を有するスイッチと、差し込み口に挿入される充電ケーブルとを互いに固定するための充電ケーブル用固定具であり、係合部と、取付部と、連結部とを有している。係合部は、スイッチに固定可能に構成されている。取付部は、充電ケーブルに取付可能に構成されている。連結部は、係合部および取付部の各々に取り付けられ、かつ係合部と取付部との間の距離を調整可能に構成されている。【選択図】図３
2019083117.tif 000002
【特許請求の範囲】
【請求項１】
差し込み口を有するスイッチと、前記差し込み口に挿入される充電ケーブルとを互いに固定するための充電ケーブル用固定具であって、
前記スイッチに固定可能に構成された係合部と、
前記充電ケーブルに取付可能に構成された取付部と、
前記係合部および前記取付部の各々に取り付けられ、かつ前記係合部と前記取付部との間の距離を調整可能に構成された連結部とを備えた、充電ケーブル用固定具。
【請求項２】
前記連結部の形状は、帯状である、請求項１に記載の充電ケーブル用固定具。
【請求項３】
前記取付部には、前記連結部が挿入される挿入孔が設けられており、
前記挿入孔は、前記取付部の外表面に設けられた凹部に繋がっている、請求項１または請求項２に記載の充電ケーブル用固定具。
【請求項４】
前記充電ケーブルは、前記差し込み口に挿入されるプラグと、前記プラグに連なるコードとを含み、
前記取付部には、前記コードが挿入される貫通孔が設けられており、
前記貫通孔は、前記貫通孔の延在方向に垂直な方向における幅が前記プラグに向かうに従って広がる部分を有する、請求項１〜請求項３のいずれか１項に記載の充電ケーブル用固定具。
【請求項５】
前記取付部は、前記貫通孔に設けられ、かつ前記コードを取り囲むクッション材を含む、請求項４に記載の充電ケーブル用固定具。
【請求項６】
請求項１〜請求項５のいずれか１項に記載の充電ケーブル用固定具を備えた、スイッチ装置。
【発明の詳細な説明】
【技術分野】
【０００１】
本発明は、充電ケーブル用固定具および充電ケーブル用固定具を備えたスイッチ装置に関する。
【背景技術】
【０００２】
特開２０１６−１３４３１０号公報（特許文献１）には、コンセント本体と、荷重受部とを有するコンセントが記載されている。当該コンセントにおいては、荷重受部に所定値以上の荷重がかかると荷重受部によるケーブルの保持を解除するように構成されている。
【０００３】
また特開２０１１−１９８７５１号公報（特許文献２）には、突起部を有するプラグと、規制部が設けられたコンセントとが記載されている。プラグがコンセントに挿入されると、突起部が規制部に当接することで、プラグの移動が規制される。
【先行技術文献】
【特許文献】
【０００４】
【特許文献１】特開２０１６−１３４３１０号公報
【特許文献２】特開２０１１−１９８７５１号公報
【発明の概要】
【発明が解決しようとする課題】
【０００５】
しかしながら、特開２０１６−１３４３１０号公報および特開２０１１−１９８７５１号公報に記載の技術のおいては、充電ケーブルのプラグが直接コンセントに挿入される。つまり、充電ケーブルとコンセントとの間にスイッチが配置されていない。そのため、スイッチと充電ケーブルとを互いに固定する方法については全く検討されていなかった。
【０００６】
本発明の一態様は、上記のような課題を解決するためになされたものであり、その目的は、スイッチと充電ケーブルとを互いに固定するための充電ケーブル用固定具を提供することである。
【課題を解決するための手段】
【０００７】
本発明の一態様に係る充電ケーブル用固定具は、差し込み口を有するスイッチと、差し込み口に挿入される充電ケーブルとを互いに固定するための充電ケーブル用固定具であり、係合部と、取付部と、連結部とを備えている。係合部は、スイッチに固定可能に構成されている。取付部は、充電ケーブルに取付可能に構成されている。連結部は、係合部および取付部の各々に取り付けられ、かつ係合部と取付部との間の距離を調整可能に構成されている。
【発明の効果】
【０００８】
本発明の一態様によれば、スイッチと充電ケーブルとを互いに固定するための充電ケーブル用固定具を提供することができる。
【図面の簡単な説明】
【０００９】
【図１】本実施形態に係るスイッチ装置の構成を示す斜視模式図である。
【図２】本実施形態に係るスイッチ装置の構成を示す分解斜視模式図である。
【図３】本実施形態に係る充電ケーブル用固定具の構成を示す斜視模式図である。
【図４】本実施形態に係る充電ケーブル用固定具の構成を示す正面模式図である。
【図５】本実施形態に係る充電ケーブル用固定具の構成を示す上面模式図である。
【図６】図５のＶＩ−ＶＩ線に沿った断面模式図である。
【図７】図５のＶＩＩ−ＶＩＩ線に沿った断面模式図である。
【図８】本実施形態に係る充電ケーブル用固定具の第１変形例の構成を示す断面模式図である。
【図９】本実施形態に係る充電ケーブル用固定具の第２変形例の構成を示す断面模式図である。
【図１０】本実施形態に係る充電ケーブル用固定具の第３変形例の構成を示す断面模式図である。
【図１１】本実施形態に係る充電ケーブル用固定具の第４変形例の構成を示す断面模式図である。
【図１２】スイッチと充電ケーブルとを互いに固定するための方法を示す側面模式図である。
【図１３】スイッチと充電ケーブルとを互いに固定するための方法を示す上面模式図である。
【発明を実施するための形態】
【００１０】
［本発明の実施形態の概要］
まず、本発明の実施形態の概要について説明する。
【００１１】
（１）本発明の一態様に係る充電ケーブル用固定具２は、差し込み口４５を有するスイッチ４０と、差し込み口４５に挿入される充電ケーブル５０とを互いに固定するための充電ケーブル用固定具２であり、係合部１０と、取付部２０と、連結部３０とを備えている。係合部１０は、スイッチ４０に固定可能に構成されている。取付部２０は、充電ケーブル５０に取付可能に構成されている。連結部３０は、係合部１０および取付部２０の各々に取り付けられ、かつ係合部１０と取付部２０との間の距離を調整可能に構成されている。
【００１２】
上記（１）に係る充電ケーブル用固定具２によれば、スイッチ４０と充電ケーブル５０とが互いに固定される。そのため、充電ケーブル５０がスイッチ４０の差し込み口４５から抜けることを抑制することができる。また連結部３０は、係合部１０と取付部２０との間の距離を調整可能に構成されている。そのため、充電ケーブル５０用プラグの寸法が異なる充電ケーブル５０に対しても、充電ケーブル用固定具２を使用することができる。
【００１３】
（２）上記（１）に係る充電ケーブル用固定具２において、連結部３０の形状は、帯状であってもよい。これにより、連結部３０が巻き付けられる取付部２０の突起部２６の高さを低くすることができる。そのため、連結部３０によって突起部２６が引っ張られた際、コード５２の著しい変形を抑制することができる。
【００１４】
（３）上記（１）または（２）に係る充電ケーブル用固定具２において、取付部２０には、連結部３０が挿入される挿入孔２１が設けられていてもよい。挿入孔２１は、取付部２０の外表面に設けられた凹部２８に繋がっていてもよい。これにより、挿入孔２１の位置を取付部２０の外表面よりも低くすることができる。そのため、連結部３０が巻き付けられる取付部２０の突起部２６の高さをさらに低くすることができる。そのため、連結部３０によって突起部２６が引っ張られた際、コード５２の著しい変形をさらに抑制することができる。
【００１５】
（４）上記（１）〜（３）のいずれかに係る充電ケーブル用固定具２において、充電ケーブル５０は、差し込み口４５に挿入されるプラグ５１と、プラグ５１に連なるコード５２とを含んでいてもよい。取付部２０には、コード５２が挿入される貫通孔２２が設けられていてもよい。貫通孔２２は、貫通孔２２の延在方向に垂直な方向における幅がプラグ５１に向かうに従って広がる部分を有していてもよい。これにより、プラグ５１の根本に拡径する蛇腹５１ｂが設けられている場合であっても、貫通孔２２の径がプラグ５１の蛇腹５１ｂの形状に沿って広がっているため、取付部２０を充電ケーブル５０に取り付けることができる。
【００１６】
（５）上記（４）に係る充電ケーブル用固定具２において、取付部２０は、貫通孔２２に設けられ、かつコード５２を取り囲むクッション材３を含んでいてもよい。これにより、取付部２０がコード５２を滑って移動することを抑制することができる。
【００１７】
（６）本発明の一態様に係るスイッチ装置１は、上記（１）〜（５）のいずれかに記載の充電ケーブル用固定具２を備えていてもよい。
【００１８】
［本発明の実施形態の詳細］
以下、図面に基づいて本発明の実施形態の詳細について説明する。なお、以下の図面において同一または相当する部分には同一の参照番号を付し、その説明は繰返さない。
【００１９】
まず、本発明の一実施形態に係るスイッチ装置１の構成について説明する。
図１に示されるように、本実施形態に係るスイッチ装置１は、たとえばＥＶ（Ｅｌｅｃｔｒｉｃ  Ｖｅｈｉｃｌｅ）またはＰＨＥＶ（Ｐｌｕｇ−ｉｎ  Ｈｙｂｒｉｄ  Ｅｌｅｃｔｒｉｃ  Ｖｅｈｉｃｌｅ）などの車両に対する電力の供給の切り替えを行うための装置であり、スイッチ４０と、充電ケーブル用固定具２とを主に有している。スイッチ４０は、スイッチ本体４３と、スイッチ用プラグ４１と、スイッチ用コード４２と、固定部４４と、差し込み口４５と、ゴムカバー４６とを主に有している。スイッチ本体４３は、略円筒状の形状を有している。スイッチ本体４３の一方側には、スイッチ用コード４２が設けられている。スイッチ用コード４２は、スイッチ本体４３に繋がっている。スイッチ用プラグ４１は、スイッチ用コード４２に繋がっている。スイッチ用コード４２は、スイッチ用プラグ４１とスイッチ本体４３との間にある。スイッチ本体４３の他方側には、差し込み口４５と、固定部４４と、ゴムカバー４６とが設けられている。
【００２０】
図１および図２に示されるように、スイッチ用プラグ４１は、コンセント４に挿入される。コンセント４は、たとえば建物の壁などに取り付けられている。充電ケーブル５０は、充電ケーブル用プラグ５１と、充電ケーブル用コード５２とを有している。充電ケーブル用コード５２は、充電ケーブル用プラグ５１に連なる。充電ケーブル５０の一端は、スイッチ４０の差し込み口４５に挿入される。具体的には、充電ケーブル用プラグ５１は、スイッチ４０の差し込み口４５に挿入される。ゴムカバー４６は、スイッチ本体４３に取り付けられている。充電ケーブル用プラグ５１が、スイッチ４０の差し込み口４５に挿入されていないときには、ゴムカバー４６は、差し込み口４５を覆っている。
【００２１】
充電ケーブル用固定具２は、スイッチ４０と、充電ケーブル５０とを互いに固定するためものである。充電ケーブル用固定具２は、スイッチ４０および充電ケーブル５０の各々に取り付けられる。充電ケーブル用固定具２は、係合部１０と、取付部２０と、連結部３０とを主に有している。具体的には、充電ケーブル用固定具２の係合部１０が、スイッチ４０の固定部４４に固定される。スイッチ４０の固定部４４は、たとえば係合部１０と係合可能な有底孔である。充電ケーブル用固定具２の取付部２０は、充電ケーブル５０に取付可能に構成されている。具体的には、取付部２０は、充電ケーブル用コード５２に取り付けられる。
【００２２】
図２に示されるように、取付部２０は、たとえば第１部材２３と、第２部材２４とを有している。たとえば第１部材２３および第２部材２４が、それぞれ充電ケーブル用コード５２の上側および下側に配置される。充電ケーブル用コード５２は、第１部材２３と第２部材２４とによって挟み込まれる。第１部材２３と第２部材２４とは、たとえばボルト（図示せず）およびナット（図示せず）によって固定される。これにより、取付部２０は、充電ケーブル用コード５２に取り付けられる。
【００２３】
充電ケーブル５０の他端は、ＥＶまたはＰＨＥＶなどの車両に接続される。これにより、建物のコンセント４から車両のバッテリーに電力が供給され、車両のバッテリーが充電される。スイッチ４０は、建物のコンセント４から車両のバッテリーに供給される電力量を切り替え可能に構成されている。具体的には、スイッチ４０は、バッテリーへの給電の開始および停止を切り替えることができる。別の観点から言えば、スイッチ４０は、バッテリーへの給電のオン状態およびオフ状態を制御することができる。たとえば建物で使用されている電力が多い場合には、建物から車両に対して電力を供給する余裕が十分ではない。この場合、たとえば建物の電力の使用状況を把握している管理装置（図示せず）によって、スイッチ４０内部の電力供給ラインが遮断されるようにスイッチ４０が制御される。これにより、車両のバッテリーに対する電力の供給が停止される。一方、建物で使用されている電力が少ない場合には、建物から車両に対して電力を供給する余裕がある。この場合、たとえば管理装置によって、スイッチ４０内部の電力供給ラインが導通されるようにスイッチ４０が制御される。これにより、車両のバッテリーに対する電力の供給が開始される。スイッチ４０は、管理装置と無線で通信できるように構成されていてもよい。
【００２４】
次に、本発明の一実施形態に係る充電ケーブル用固定具２の構成について説明する。
図３に示されるように、本実施形態に係る充電ケーブル用固定具２は、係合部１０と、取付部２０と、連結部３０とを有している。係合部１０は、スイッチ４０に固定可能に構成されている。図３および図４に示されるように、係合部１０は、前方突出部１１と、中央部１２と、側方突出部１３と、つまみ部１４と、後方部１７とを有する。前方突出部１１は、中央部１２と連なる。前方突出部１１は、中央部１２よりも前方に位置している。側方突出部１３は、前方突出部１１と連なっている。側方突出部１３は、前方突出部１１よりも後方に位置している。側方突出部１３は、中央部１２から離間している。側方突出部１３は、中央部１２の両側に位置する。つまみ部１４は、側方突出部１３に連なっている。つまみ部１４は、側方突出部１３よりも後方に位置している。つまみ部１４は、中央部１２の両側に位置する。
【００２５】
図４に示されるように、後方部１７は、中央部１２に連なっている。後方部１７は、中央部１２よりも後方に位置している。後方部１７には、第１孔１５と、第２孔１６とが設けられている。第２孔１６は、第１孔１５よりも後方に位置する。なお図４において、後方とは、連結部３０が配置されている方向である。前方とは、連結部３０が配置されている方向と反対側の方向である。別の観点から言えば、前方とは、スイッチ４０の固定部４４に向かう方向である。後方とは、スイッチ４０の固定部４４に向かう方向と反対側の方向である。
【００２６】
図３および図４に示されるように、連結部３０の形状は、たとえば帯状である。連結部３０は、たとえばベルトである。図４に示されるように、取付部２０から係合部１０に向かう方向（図４の上下方向）における連結部３０の長さは、取付部２０から係合部１０に向かう方向に対して垂直な方向（図４の左右方向）における連結部の幅よりも大きくてもよい。連結部３０の主表面に対して垂直な方向（図４の平面に対して垂直な方向）における連結部３０の厚みは、連結部３０の幅よりも小さくてもよい。
【００２７】
図５に示されるように、取付部２０には、貫通孔２２と、挿入孔２１とが設けられている。貫通孔２２には、充電ケーブル用コード５２が挿入される。挿入孔２１には、連結部３０が挿入される。具体的には、取付部２０は、たとえば第１部材２３と、第２部材２４とを有している。第１部材２３には、連結部３０が挿入される挿入孔２１と、凹部２８とが設けられている。凹部２８は、第１部材２３の外表面に設けられている。図６に示されるように、挿入孔２１は、たとえば凹部２８に繋がっている。第１部材２３には、たとえば突起部２６が設けられている。
【００２８】
図５に示されるように、突起部２６は、たとえば第１部材２３と第２部材２４との境界面２７と平行な方向に延在している棒状の部分を有している。突起部２６は、挿入孔２１を構成する壁面の一部をなしている。貫通孔２２は、第１部材２３の側壁面と、第２部材２４の側壁面とにより形成される。境界面２７と平行な方向において、貫通孔２２の幅は、挿入孔２１の幅よりも小さくてもよい。境界面２７と平行な方向において、突起部２６の幅は、凹部２８の幅よりも大きくてもよい。突起部２６は、第１部材２３の外周面７０よりも外側に突出していてもよい。
【００２９】
図６に示されるように、連結部３０は、取付部２０に設けられた挿入孔２１に挿入されている。連結部３０は、たとえば挿入孔２１の外側から入り、内側から出ている。連結部３０は、突起部２６を取り囲む。連結部３０の先端は、たとえば接着剤で連結部３０の表面３１に固着されている。以上のように、連結部３０が、取付部２０に取り付けられる。図６に示されるように、凹部２８は、第１凹部２８ａと、第２凹部２８ｂとを有していてもよい。第１凹部２８ａの深さは、第２凹部２８ｂの深さよりも大きい。第１凹部２８ａは、第２凹部２８ｂよりも外側にある。第１凹部２８ａは、第２凹部２８ｂに連なっている。第１凹部２８ａは、挿入孔２１に連なっている。第２凹部２８ｂは、貫通孔２２に連なっている。貫通孔２１の径方向（図６の左右方向）において、突起部２６の内側面２５は、第１部材２３の外周面７０とほぼ同じ位置にあってもよいし、外周面７０よりも貫通孔２２側に位置していてもよい。
【００３０】
図６に示されるように、連結部３０は、係合部１０および取付部２０の各々に取り付けられる。係合部１０の第１孔１５には、連結部３０が挿入されている。係合部１０の第２孔１６には、第１孔１５から出てきた連結部３０が挿入されている。連結部３０は、第２孔１６から出て、取付部２０の方に向かって延在している。第１孔１５と第２孔１６とに挟まれた後方部１７は、連結部３０に取り囲まれている。このようにして、連結部３０が、係合部１０に取り付けられる。後方部１７の厚みは、中央部１２の厚みよりも大きくてもよい。係合部１０の第１孔１５および第２孔１６に挿入される連結部３０の位置を変更することにより、係合部１０と取付部２０との間の距離を調整することができる。つまり、連結部３０は、係合部１０と取付部２０との間の距離を調整可能に構成されている。
【００３１】
図７に示されるように、貫通孔２２は、たとえば第１部分２２ａと、第２部分２２ｂとを有していてもよい。第１部分２２ａは、貫通孔２２の延在方向に垂直な方向（図７の左右方向）における幅が一定の部分である。第２部分２２ｂは、貫通孔２２の延在方向に垂直な方向における幅が下側に向かうに従って広がる部分である。第２部分２２ｂは、第１部分２２ａに連なる。第２部分２２ｂは、第１部分２２ａの下側にある。なお、図７において下側とは、取付部２０が充電ケーブル５０に取り付けられた状態において、充電ケーブル用プラグ５１から離れる方向である。図７および図３に示されるように、取付部２０には、ボルト挿入孔２９が設けられていてもよい。ボルト挿入孔２９にボルト（図示せず）が挿入されることで、第１部材２３と第２部材２４とが組み合わされてもよい。
【００３２】
次に、本実施形態に係る充電ケーブル用固定具２の第１変形例の構成について説明する。図８は、ＶＩＩ−ＶＩＩ線に沿って見た第１変形例の断面模式図である。
【００３３】
図８に示されるように、貫通孔２２は、たとえば第１部分２２ａおよび第２部分２２ｂに加え、さらに第３部分２２ｃを有していてもよい。第３部分２２ｃは、貫通孔２２の延在方向に垂直な方向における幅が充電ケーブル用プラグ５１に向かうに従って広がる部分である。別の観点から言えば、貫通孔２２の延在方向に垂直な方向における幅とは、貫通孔２２の径である。第３部分２２ｃは、第１部分２２ａに連なる。第１部分２２ａは、第３部分２２ｃと第２部分２２ｂとの間に位置する。取付部２０が充電ケーブル５０に取り付けられた状態において、第３部分２２ｃは、第１部分２２ａと、充電ケーブル用プラグ５１との間に位置する。
【００３４】
充電ケーブル用プラグ５１は、たとえばプラグ本体５１ａと、蛇腹５１ｂとを有していてもよい。蛇腹５１ｂは、充電ケーブル用コード５２とプラグ本体５１ａとの間にある。蛇腹５１ｂの幅は、充電ケーブル用コード５２からプラグ本体５１ａに向かう従って広がっている。これにより、充電ケーブル用プラグ５１に蛇腹５１ｂが設けられている場合であっても、第３部分２２ｃが蛇腹５１ｂの形状に沿って広がっているため、取付部２０を充電ケーブル５０に取り付けることができる。
【００３５】
次に、本実施形態に係る充電ケーブル用固定具２の第２変形例の構成について説明する。図９は、ＶＩＩ−ＶＩＩ線に沿って見た第２変形例の断面模式図である。
【００３６】
図９に示されるように、取付部２０は、クッション材３を含んでいてもよい。クッション材３は、たとえばスポンジなどの樹脂である。クッション材３は、充電ケーブル用コード５２を取り囲むように配置されている。クッション材３は、貫通孔２２に設けられる。クッション材３は、たとえば貫通孔２２の第１部分２２ａおよび第２部分２２ｂの双方に設けられていてもよい。代替的に、クッション材３は、たとえば貫通孔２２の第１部分２２ａおよび第２部分２２ｂのいずれか一方のみに設けられていてもよい。
【００３７】
次に、本実施形態に係る充電ケーブル用固定具２の第３変形例の構成について説明する。図１０においては、連結部３０および係合部１０は省略されており、取付部２０のみが記載されている。
【００３８】
図１０に示されるように、取付部２０は、結合部材６１をさらに有していてもよい。結合部材６１は、境界面２７を跨ぐように、第１部材２３および第２部材２４に取り付けられている。具体的には、結合部材６１は、第１部材２３の外周部と、第２部材２４の外周部とに取り付けられていてもよい。結合部材６１は、たとえば円弧状の形状を有している。これにより、第１部材２３と第２部材２４とが一緒に取り扱われるため、第１部材２３および第２部材２４を取付部２０に取り付けることが容易になる。
【００３９】
次に、本実施形態に係る充電ケーブル用固定具２の第４変形例の構成について説明する。図１１においては、連結部３０および係合部１０は省略されており、取付部２０のみが記載されている。
【００４０】
図１１に示されるように、取付部２０は、扉部材６２をさらに有していてもよい。貫通孔２２は、第２部材２４の外周面に開口していてもよい。扉部材６２は、貫通孔２２と第２部材２４の外周面との境界付近に設けられていてもよい。この場合、第１部材２３と第２部材２４とは一体となっていてもよい。取付部２０を充電ケーブル５０に取り付ける際は、まず充電ケーブル用コード５２が扉部材６２に押し当てられる。これにより、扉部材６２が図１１の破線に示すように貫通孔２２の壁面に平行な方向に移動して、扉部材６２が開く。このまま充電ケーブル用コード５２が貫通孔２２の内部に入れられる。充電ケーブル用コード５２が貫通孔２２の中心付近に配置されると、扉部材６２が復元力で元の位置（実線の位置）に戻って、扉部材６２が閉まる。これにより、充電ケーブル用コード５２が取付部２０から外れることが防止される。この構造の取付部２０によれば、取付部２０を充電ケーブル５０に容易に取り付けることができる。
【００４１】
次に、充電ケーブル用固定具２をスイッチ４０と充電ケーブル５０とに取り付ける方法について説明する。
【００４２】
図１に示されるように、取付部２０は、充電ケーブル５０に取り付けられる。具体的には、第１部材２３および第２部材２４によって、充電ケーブル用コード５２を挟み込むように、取付部２０が充電ケーブル５０に取り付けられる。第１部材２３と、第２部材２４とは、たとえばボルト（図示せず）およびナット（図示せず）によって固定される。
【００４３】
図１２に示されるように、スイッチ４０には、固定部４４が設けられている。固定部４４は、たとえば有底孔である。固定部４４には、たとえば第１凹部４４ａと、第２凹部４４ｂとが設けられている。第２凹部４４ｂは、第１凹部４４ａよりも内側に位置する。第１凹部４４ａは、第２凹部４４ｂの側壁に設けられている。固定部４４には、係合部１０が挿入される。係合部１０は、前方突出部１１と、中央部１２と、側方突出部１３と、つまみ部１４と、後方部１７とを有する。
【００４４】
係合部１０をスイッチ４０に取り付けるときは、一対のつまみ部１４を２つの指で挟み込んだ状態で、前方突出部１１と中央部１２と側方突出部１３とが、有底孔の内部に配置される。つまみ部１４と後方部１７とは、有底孔の外部に配置される。前方突出部１１は、第２凹部４４ｂに配置される。つまみ部１４から指を離すと、側方突出部１３は両側に広がる。これにより、側方突出部１３が、第１凹部４４ａに配置され、係合部１０が固定部４４に固定される。
【００４５】
係合部１０をスイッチ４０から取り外すときは、２つの指でつまみ部１４を挟んで、つまみ部１４を中央部１２に近づける。これにより、側方突出部１３が、第１凹部４４ａから外れる。この状態で、前方突出部１１と側方突出部１３とが、有底孔から引き抜かれる。上記においては、固定部４４が凹部であり、かつ係合部１０が凸部である場合について説明したが、固定部４４が凸部であり、かつ係合部１０が凹部であってもよい。
【００４６】
連結部３０は、係合部１０および取付部２０の各々に取り付けられている連結部３０は、たとえばバンドである。連結部３０は、係合部１０と取付部２０との間の距離を調整可能に構成されている（図１３参照）。具体的には、係合部１０の第１孔１５および第２孔１６に挿入される連結部３０の位置を変更することにより、係合部１０と取付部２０との間の距離を調整することができる。これにより、スイッチ４０と充電ケーブル５０とが互いに固定される。連結部３０の長さは、取付部２０が充電ケーブル用プラグ５１の側面に当接するように調整されてもよい。
【００４７】
次に、本実施形態に係る充電ケーブル用固定具２の作用効果について説明する。
本実施形態に係る充電ケーブル用固定具２によれば、スイッチ４０と充電ケーブル５０とが互いに固定される。そのため、充電ケーブル５０がスイッチ４０の差し込み口４５から抜けることを抑制することができる。また連結部３０は、係合部１０と取付部２０との間の距離を調整可能に構成されている。そのため、充電ケーブル用プラグ５１の寸法が異なる充電ケーブル５０に対しても、充電ケーブル用固定具２を使用することができる。
【００４８】
また本実施形態に係る充電ケーブル用固定具２において、連結部３０の形状は、帯状であってもよい。これにより、連結部３０が巻き付けられる取付部２０の突起部２６の高さを低くすることができる。そのため、連結部３０によって突起部２６が引っ張られた際、コード５２の著しい変形を抑制することができる。
【００４９】
さらに本実施形態に係る充電ケーブル用固定具２において、取付部２０には、連結部３０が挿入される挿入孔２１が設けられていてもよい。挿入孔２１は、取付部２０の外表面に設けられた凹部２８に繋がっていてもよい。これにより、挿入孔２１の位置を取付部２０の外表面よりも低くすることができる。そのため、連結部３０が巻き付けられる取付部２０の突起部２６の高さをさらに低くすることができる。そのため、連結部３０によって突起部２６が引っ張られた際、コード５２の著しい変形をさらに抑制することができる。
【００５０】
さらに本実施形態に係る充電ケーブル用固定具２において、充電ケーブル５０は、差し込み口４５に挿入されるプラグ５１と、プラグ５１に連なるコード５２とを含んでいてもよい。取付部２０には、コード５２が挿入される貫通孔２２が設けられていてもよい。貫通孔２２は、貫通孔２２の延在方向に垂直な方向における幅がプラグ５１に向かうに従って広がる部分を有していてもよい。これにより、プラグ５１の根本に拡径する蛇腹５１ｂが設けられている場合であっても、貫通孔２２の径がプラグ５１の蛇腹５１ｂの形状に沿って広がっているため、取付部２０を充電ケーブル５０に取り付けることができる。
【００５１】
さらに本実施形態に係る充電ケーブル用固定具２において、取付部２０は、貫通孔２２に設けられ、かつコード５２を取り囲むクッション材３を含んでいてもよい。これにより、取付部２０がコード５２を滑って移動することを抑制することができる。
【００５２】
今回開示された実施の形態はすべての点で例示であって、制限的なものではないと考えられるべきである。本発明の範囲は上記した説明ではなくて特許請求の範囲によって示され、特許請求の範囲と均等の意味、および範囲内でのすべての変更が含まれることが意図される。
【符号の説明】
【００５３】
１  スイッチ装置
２  充電ケーブル用固定具
３  クッション材
４  コンセント
１０  係合部
１１  前方突出部
１２  中央部
１３  側方突出部
１４  つまみ部
１５  第１孔
１６  第２孔
１７  後方部
２０  取付部
２１  挿入孔
２２  貫通孔
２２ａ  第１部分
２２ｂ  第２部分
２２ｃ  第３部分
２３  第１部材
２４  第２部材
２５  内側面
２６  突起部
２７  境界面
２８  凹部
２９  ボルト挿入孔
３０  連結部
３１  表面
４０  スイッチ
４１  スイッチ用プラグ
４２  スイッチ用コード
４３  スイッチ本体
４４  固定部
４４ａ  第１凹部
４４ｂ  第２凹部
４５  差し込み口
４６  ゴムカバー
５０  充電ケーブル
５１  充電ケーブル用プラグ（プラグ）
５１ａ  プラグ本体
５１ｂ  蛇腹
５２  充電ケーブル用コード（コード）
６１  結合部材
６２  扉部材
７０  外周面
【図１】
2019083117.tif 000003
【図２】
2019083117.tif 000004
【図３】
2019083117.tif 000005
【図４】
2019083117.tif 000006
【図５】
2019083117.tif 000007
【図６】
2019083117.tif 000008
【図７】
2019083117.tif 000009
【図８】
2019083117.tif 000010
【図９】
2019083117.tif 000011
【図１０】
2019083117.tif 000012
【図１１】
2019083117.tif 000013
【図１２】
2019083117.tif 000014
【図１３】
2019083117.tif 000015